(57)【要約】【課題】乾燥室に連通した風路にリント捕獲部を有するフィルタが設けられたものにおいて、そのリント捕獲部に捕獲されたリントを除去する掃除が容易且つ効果的にできる衣類乾燥機を提供する。【解決手段】衣類を収容する水槽２及び回転槽４（乾燥室）と、この乾燥室に連通させて設けられた風路２０と、この風路２０に乾燥室の空気を通すファン２２と、風路２０に設けられて、その風路２０に通される空気からリントを捕獲するリント捕獲部を有するフィルタ２１とを具備し、フィルタ２１のリント捕獲部が親水性を有するようにした。それにより、リント捕獲部に流水を当てることにより、該リント捕獲部から捕獲リントを流し落とすことができ、リント捕獲部に捕獲されたリントを除去する掃除を容易且つ効果的に行うことができる。【選択図】図１
2015192760.tif 000002
【特許請求の範囲】
【請求項１】
衣類を収容する乾燥室と、
この乾燥室に連通させて設けられた風路と、
この風路に前記乾燥室の空気を通すファンと、
前記風路に設けられて、その風路に通される空気からリントを捕獲するリント捕獲部を有するフィルタとを具備し、
前記フィルタのリント捕獲部が親水性を有するようにしたことを特徴とする衣類乾燥機。
【請求項２】
前記フィルタの、リント捕獲部以外の部分を含む全部が親水性を有するようにしたことを特徴とする請求項１記載の衣類乾燥機。
【請求項３】
前記フィルタの親水性を、親水性塗料のコーティングにより付与したことを特徴とする請求項１又は２記載の衣類乾燥機
【請求項４】
前記フィルタがフィルタ収容部に収容されるものであって、そのフィルタ収容部の内表面が親水性を有するようにしたことを特徴とする請求項１から３のいずれか一項記載の衣類乾燥機。
【請求項５】
前記フィルタに給水する給水機構を有することを特徴とする請求項１から４のいずれか一項記載の衣類乾燥機。
【請求項６】
前記給水機構が、前記風路に通される空気流の下流側から前記フィルタに給水することを特徴とする請求項５記載の衣類乾燥機。
【請求項７】
前記給水機構が、前記風路に通される空気流の上流側から前記フィルタに給水することを特徴とする請求項５記載の衣類乾燥機。
【請求項８】
前記給水機構による前記フィルタへの給水を、乾燥運転の開始前に実行することを特徴とする請求項５から７のいずれか一項記載の衣類乾燥機。
【請求項９】
前記給水機構による前記フィルタへの給水を、乾燥運転の終了後に実行することを特徴とする請求項５から７のいずれか一項記載の衣類乾燥機
【請求項１０】
前記給水機構による前記フィルタへの給水を、乾燥運転の開始から終了までに実行することを特徴とする請求項５から７のいずれか一項記載の衣類乾燥機。
【請求項１１】
前記給水機構による給水で前記フィルタから除去されたリントを、前記乾燥室から排水する排水機構を通じて機外に排出することを特徴とする請求項５から１０のいずれか一項記載の衣類乾燥機。
【請求項１２】
前記給水機構による給水で前記フィルタから除去されたリントを捕獲する捕獲手段を有することを特徴とする請求項５から１１のいずれか一項記載の衣類乾燥機。
【発明の詳細な説明】
【技術分野】
【０００１】
本発明の実施形態は衣類乾燥機に関する。
【背景技術】
【０００２】
従来より、例えば洗濯乾燥機においては、乾燥室を兼ねる洗濯槽に風路が連通させて設けられると共に、その風路に一般的にはファンとヒータとが設けられ、洗濯槽内の空気をファンにより風路に通すことによって、温風と成した後、洗濯槽内に供給して、更に風路に通す循環、又は機外に排出する排気を行って、洗濯物の乾燥を行うようにしたものが供されている。
【０００３】
又、このものにおいては、上記洗濯物の乾燥を行うのに伴って洗濯物から散出するリント（糸くず）が風路内の構成部材に付着すると、種々の不具合（例えば通風量の減少による乾燥性能の低下や、ヒータへのリントの付着による過熱など）を来たすため、風路にはリントを捕獲するリント捕獲部を有するフィルタが設けられている。
しかしながら、上記フィルタのリント捕獲部にリントが捕獲されていくと、そのリント捕獲部にリントが堆積するようになり、その結果、上述の風路内の構成部材にリントが付着して堆積したのと同様に、風路の圧力損失が増大し、通風量が減少することによって、洗濯物の乾燥が効率良くできなくなる。
【０００４】
このため、使用者は上記フィルタのリント捕獲部からリントを除去する掃除を定期的に行わなければならないが、そのリント捕獲部からリントを除去する掃除は、リント捕獲部をブラシで払うとか、掃除機で吸引するとかの方法で、手間のかかるものであり、そのほかリント捕獲部を水洗いする方法もあるが、捕獲したリントの除去が効果的にできるものではなかった。（例えば特許文献１参照）。
【先行技術文献】
【特許文献】
【０００５】
【特許文献１】特開２０１３−２２６１８５号公報
【発明の概要】
【発明が解決しようとする課題】
【０００６】
上述のように、乾燥室に連通した風路にリント捕獲部を有するフィルタが設けられたものの場合、そのリント捕獲部に捕獲されたリントを除去する掃除が容易且つ効果的にできるものではなかった。
そこで、乾燥室に連通した風路にリント捕獲部を有するフィルタが設けられたものにおいて、そのリント捕獲部に捕獲されたリントを除去する掃除が容易且つ効果的にできる衣類乾燥機を提供する。
【課題を解決するための手段】
【０００７】
本実施形態の衣類乾燥機は、衣類を収容する乾燥室と、この乾燥室に連通させて設けられた風路と、この風路に前記乾燥室の空気を通すファンと、前記風路に設けられて、その風路に通される空気からリントを捕獲するリント捕獲部を有するフィルタとを具備し、前記フィルタのリント捕獲部が親水性を有するようにしたことを特徴とする。
【図面の簡単な説明】
【０００８】
【図１】洗濯乾燥機全体の縦断側面図
【図２】フィルタ単体の拡大斜視図
【図３】フィルタケース単体の拡大斜視図
【図４】第２の実施形態を示す図１相当図
【図５】主要部分の拡大縦断面図
【図６】第３の実施形態を示す図１相当図
【図７】図５相当図
【図８】第４の実施形態を示す図１相当図
【図９】図５相当図
【図１０】第５の実施形態を示すフローチャート
【図１１】第６の実施形態を示すフローチャート
【図１２】第７の実施形態を示すフローチャート
【図１３】第８の実施形態を示す図１相当図
【図１４】第９の実施形態を示す図１相当図
【発明を実施するための形態】
【０００９】
以下、洗濯乾燥機に適用して、その第１の実施形態につき、図１から図３を参照して説明する。
まず、図１には、洗濯乾燥機（縦軸形洗濯乾燥機）の全体構成を示しており、外箱１を外殻とし、この外箱１の内部に水槽２を、複数本（２本のみ図示）の吊り棒３ａ及びこの吊り棒３ａにそれぞれ装設したスプリング３ｂを主体とする弾性支持機構３により、縦軸状態で揺動可能に弾性支持して配設している。
【００１０】
水槽２の内部には、洗濯槽であり、脱水槽でもあって、更に水槽２と共に乾燥室を構成する回転槽４を配設している。この回転槽４の周側部には脱水兼通風用の孔５と凸部６とを多数形成しており、上縁部に回転バランサ７を装着している。
回転槽４の内部には、底部に撹拌体８を同心状に配設している。これに対して、水槽２の底部から下方には、駆動装置９を配設している。この駆動装置９は、詳しくは図示しないが、モータを主体とするもので、上記回転槽４と撹拌体８とを直接的且つ選択的に回転させるようになっている。このほか、水槽２の底部から下方には、水槽２内の水を排出するための排水弁１０や排水ホース１１から成る排水機構１２を配設している。
【００１１】
一方、水槽２の上端部には、同部の開口部を開放可能に閉塞する内蓋１３を装着しており、この内蓋１３の周囲部の一箇所（図で右側）に出気口１４を形成し、ほゞ中央に入気口１５を形成している。このほか、内蓋１３の周囲部の他の一箇所（図で左側）には、給水口１６を形成している。
【００１２】
そして、外箱１上にはトップカバー１７を被着しており、このトップカバー１７の内部に給水装置１８と送風装置１９とを配設している。このうち、給水装置１８は、給水弁１８ａを主体として有するものであり、この給水弁１８ａが図示しない水道の蛇口に接続されて開放されることにより、蛇腹状の可撓ホース１８ｂを介して前記給水口１６から水槽２の内部に給水するようになっている。
【００１３】
一方、送風装置１９は、風路２０を主体として有するものであり、この風路２０の一端部は蛇腹状の可撓構造で上記出気口１４を介し、他端部は同じく蛇腹状の可撓構造で上記入気口１５を介して、ともに水槽２の内部に連通し、ひいては回転槽４の内部に連通している。
風路２０の途中部には、出気口１４側から入気口１５側へ順に、フィルタ２１と、ファン２２、排気口２３、及びヒータ２４を設けている。このうち、フィルタ２１は、フィルタ収容部であるフィルタケース２５の内部に収容して該フィルタケース２５と共に上記風路２０の途中部に設けたものであり、そのうちのフィルタ２１の詳細を図２に示し、フィルタケース２５の詳細を図３に示す。
【００１４】
これらの図から明らかなように、フィルタ２１は、矩形のフレーム２１ａに、洗濯物から散出するリントを捕獲できる目のフィルタ網２１ｂを張設して成るもので、フレーム２１ａの前辺部は他の部位より太い（但し、図１に示すように、中空で、下面部開放形）持手部２１ｃとなっている。
これに対して、フィルタケース２５は、矩形の扁平箱状を成すもので、図３で左側の前部が開口部２５ａで示すように開口しており、この開口部２５ａからフィルタ２１を差込んで引出し可能に収容している。又、このフィルタケース２５には、上壁部と下壁部のそれぞれ中央部に風路接続口２６，２７を形成している。
【００１５】
そして、このフィルタ２１及びフィルタケース２５には、例えばシリカ系の無機塗料など親水性能を有する塗料すなわち親水性塗料を外面に吹き付けるコーティングをすることによって、該フィルタ２１及びフィルタケース２５が親水性を有するようにしており、それは、フィルタ２１においては、フィルタ網２１ｂのみならず、持手部２１ｃを含むフレーム２１ａも同様で、すなわち、リント捕獲部であるフィルタ網２１ｂが親水性を有するようにすると共に、フィルタ２１リント捕獲部以外の部分を含む全部が親水性を有するようにしている。
【００１６】
又、フィルタケース２５においては、風路接続口２６，２７の各内表面を含むフィルタケース２５の内表面全部が親水性を有するようにしている。
なお、図２及び図３には、上述のようにしてフィルタ２１のフィルタ網２１ｂからフィルタ２１の全体及びフィルタケース２５の内表面に設けた親水膜２８，２９を示している。
【００１７】
このように構成した上で、フィルタ２１は、使用者が持手部２１ｃを手に持ってフレーム２１ａとフィルタ網２１ｂの部分をフィルタケース２５の開口部２５ａからフィルタケース２５の内部に差込んで収容しており、その収容状態では、図１に示すように、持手部２１ｃがフィルタケース２５の開口部２５ａを外部から閉塞するようになっている。
そして、フィルタケース２５は、風路接続口２６，２７で上記風路２０に接続している。
【００１８】
ファン２２は、この場合、シロッコファンであり、多翼の羽根車２２ａと、これを囲繞するケーシング２２ｂ、及びこのケーシング２２ｂ外又はケーシング２２ｂ内にあって羽根車２２ａを回転駆動するファンモータ（図示せず）から成っている。
排気口２３は、風路２０の途中上壁部にあって、風路２０内から風路２０外に向かって開放したものであり、トップカバー１７からその上方の機外に臨んでいる。
【００１９】
そして、この排気口２３部分には排気ダンパ３０を設けている。この排気ダンパ３０は、一端部を上記排気口２３の周縁部に回動可能に枢着したもので、図示しないダンパモータにより駆動されて排気口２３を開閉するようになっている。なお、ダンパモータは、詳細には、ステッピングモータであり、駆動パルスの数（ステップ数）を制御することで、開閉のほか、開度の調整ができるようになっている。
【００２０】
ヒータ２４は、例えばＰＴＣヒータであり、風路２０内を通る空気を加熱するようになっている。
なお、トップカバー１７は、図示しないが、洗濯物出入口を有していて、この出入口を外蓋（これも図示せず）で開閉するようになっており、又、前記フィルタ２１は外蓋を開放した状態でその出入口から出し入れできるようにしている。
【００２１】
加えて、トップカバー１７の前部には、操作パネル３１を設けており、その裏側（トップカバー１７内）に制御装置３２を配設している。このうち、操作パネル３１は、使用者が洗濯乾燥機の作動に係る操作をするためのもので、詳しくは図示しないが、各種操作キーや各種表示部を有している。制御装置３２は、洗濯乾燥機の作動全般を制御する制御手段として機能するもので、マイクロコンピュータを主体に構成している。
【００２２】
次に、上記構成の洗濯乾燥機の作用を述べる。
上記構成の洗濯乾燥機では、操作パネル３１が有した操作キーによる操作で、洗濯、脱水、及び乾燥の行程が、順に自動で、あるいは任意に選択して実行される。
そのうちの洗濯行程では、最初に洗濯物量検知動作が行なわれる。その後、給水装置１８により水槽２内に、上述の検知した洗濯物量に応じた水位まで給水して後、駆動装置９により撹拌体８を正逆両方向に交互に低速回転させることで、回転槽４内に収容された洗濯物（衣類）が洗濯水と共に撹拌されて洗濯される。
【００２３】
脱水行程では、排水弁１０を開放させることで水槽２内から排水して後、駆動装置９により回転槽４を一方向に高速回転させることで、回転槽４内の上記洗濯物が遠心力により脱水される。
そして、乾燥行程では、駆動装置９により撹拌体８又は回転槽４を間欠的に低速回転させ、もしくはそれらを静止させたままで、排気ダンパ３０を閉鎖し、ファン２２を駆動すると共に、ヒータ２４を発熱させる。
【００２４】
これらにより、乾燥室である水槽２内（回転槽４内）の空気が、ファン２２の送風作用で、図１に矢印で示すように、出気口１４から風路２０内に吸引されて該風路２０を通り、入気口１５から水槽２内に戻されることが繰り返されて循環される。又、その循環する空気は、ヒータ２４により加熱されて温風化され、この温風が水槽２内に供給されることになる。
【００２５】
なお、この乾燥運転中、上記水槽２内に供給される空気の温度を図示しない給風温度センサにより検知していて、その検知温度が例えば４０〔℃〕等の所定温度に達したときには、排気ダンパ３０を開放させ、ファン２２の駆動を続けて、ヒータ２４の発熱を例えば半減させる。これにより、風路２０を通る空気の一部が排気口２３から排出され、且つ風路２０を通る空気の加熱が程度を低められて、除湿がなされる。
【００２６】
次いで、又、排気ダンパ３０を閉鎖させ、ファン２２の駆動を続ける共に、ヒータ２４を再び全発熱させる。これにより、風路２０を通る空気の、排気口２３からの排出が停止され、且つ風路２０を通る空気の加熱が程度を高められて、再加熱がなされる。
この除湿と再加熱は、先に検知した洗濯物量や図示しない外気温度センサで検知される外気温によりあらかじめ設定された時間に達するまで、交互に繰り返される。
この間、回転槽４内の洗濯物は、水槽２内から回転槽４内に供給された温風と接触して、水分を奪われ、漸次乾燥される。
【００２７】
そして又、この乾燥運転中には、前記出気口１４から風路２０内に吸引された空気がフィルタケース２５の風路接続口２７からフィルタケース２５内に入って、フィルタ２１、特にはこれのフィルタ網２１ｂを通り、風路接続口２６からフィルタケース２５外に出ることが繰り返される。これにより、洗濯物から散出して上記フィルタケース２５内に入る空気に運ばれたリントは、フィルタ網２１ｂに引っ掛かって捕獲される。
【００２８】
このフィルタ網２１ｂに捕獲されたリントは、本実施形態においては、リント捕獲部であるフィルタ網２１ｂが親水性を有するようにしていることから、フィルタケース２５から取出した状態で、例えばそのフィルタ網２１ｂに流水を当てることにより、該フィルタ網２１ｂから極円滑に流し落とすことができ、このようにしてリント捕獲部に捕獲されたリントを除去する掃除を容易且つ効果的に行うことができる。
【００２９】
又、本実施形態においては、フィルタ２１の、リント捕獲部（フィルタ網２１ｂ）以外の部分を含む全部が親水性を有するようにもしており、これによって、フィルタ２１のリント捕獲部以外の部分に付着したリントも上述同様の流水等により容易且つ効果的に除去することができる。
更に、本実施形態においては、フィルタ２１の親水性を親水性塗料のコーティングにより付与しており、それによって、フィルタ２１の親水性能を容易に実現することができる。但し、フィルタ２１の親水性は、フィルタ２１の材料自体を親水性能を有するものとして作製するようにしても良い。
【００３０】
加えて、本実施形態においては、フィルタ２１がフィルタ収容部であるフィルタケース２５に収容されるものであって、そのフィルタケース２５（フィルタ収容部）の内表面が親水性を有するようにもしており、それによって、フィルタケース２５の内表面に付着したリントも、フィルタケース２５からフィルタ２１を取出した状態でトップカバー１７の洗濯物出入口から手を差込んでフィルタケース２５の内表面を水拭きなどすることにより、容易かつ効果的に除去することができる。
【００３１】
以上に対して、図４から図１４は第２から第９の実施形態を示すもので、それぞれ、第１の実施形態と同一の部分には同一の符号を付して説明を省略し、異なる部分についてのみ述べる。
【００３２】
［第２の実施形態］
図４及び図５に示す第２の実施形態においては、フィルタ２１に給水する給水機構４１を有するものとしている。具体的には、この場合、給水装置１８の給水弁１８ａから給水ホース４２を分岐させ、この給水ホース４２の先端部をフィルタケース２５に接続している。この関係上、フィルタケース２５には、図５に示すように、上壁部の前部に給水受口４３を形成しており、この給水受口４３に上記給水ホース４２の先端部を接続している。
【００３３】
この構成で、フィルタ２１及びフィルタケース２５の掃除をするときに、給水弁１８ａから給水ホース４２を通じてフィルタケース２５に給水することにより、図５に矢印で示すように、風路２０に前述のごとく通される空気流の下流側（ファン２２側）からフィルタ２１及びフィルタケース２５に給水することになる。
このようにすることにより、フィルタ２１を逐一取出すことなく流水による掃除が可能となり、一段と容易にフィルタ２１及びフィルタケース２５の掃除ができる。
【００３４】
又、この場合、風路２０に通される空気流の下流側からフィルタ２１及びフィルタケース２５に給水することで、フィルタ２１に捕獲されたリントＬをフィルタ２１の裏側から剥がすように除去することができる、すなわち、フィルタ２１のフィルタ網２１ｂに引っ掛かったリントＬを流水で引っ掛かり元に戻して剥がすように除去できることにより、フィルタ２１の掃除が一段と効果的にできる。
【００３５】
更に、この場合、給水機構４１による給水でフィルタ２１及びフィルタケース２５から除去されたリントＬは、図４に矢印で示すように、水槽２内から排水機構１２を通じて機外に排出されるものであり、乾燥運転のたびに機内の清掃をするなどの手間を省くことができる。
【００３６】
［第３の実施形態］
図６及び図７に示す第３の実施形態においては、フィルタ２１及びフィルタケース２５に、給水受口４３側からそれとは反対側の位置にかけて下降する傾斜を付与すると共に、フィルタケース２５の給水受口４３側とは反対側の位置の最低部にリント排出ホース接続口５１を形成し、又、フィルタケース２５の風路接続口２７の上縁部には堤部２７ａを突出形成していて、上記リント排出ホース接続口５１と排水ホース１１との間をリント排出ホース５２で連結している。
【００３７】
このようにすることにより、給水機構４１による給水でフィルタ２１及びフィルタケース２５から除去されたリントＬは、フィルタケース２５の風路接続口２７からほとんど排出されることなくリント排出ホース接続口５１に向かって流れ、従って、水槽２内をほとんど経ることなく、リント排出ホース５２から排水機構１２（排水ホース１１）を通じて機外に排出される。このようにしても、上記第２の実施形態と同様に、乾燥運転のたびの機内の清掃の手間を省くことができる。又、特には、乾燥運転中、フィルタ２１及びフィルタケース２５からリントＬを除去しても、水槽２内をほとんど経ることがないので、回転槽４内の洗濯物にリントＬがかかるのを極力避けることができる。
【００３８】
［第４の実施形態］
図８及び図９に示す第４の実施形態においては、これも、フィルタ２１に給水する給水機構６１を有するものとしている。具体的には、この場合、給水装置１８の給水弁１８ａから給水ホース６２を分岐させ、この給水ホース６２の先端部を、フィルタケース２５の下壁部の前部に形成した給水受口６３に接続している。
【００３９】
この構成で、フィルタ２１及びフィルタケース２５の掃除をするときに、給水弁１８ａから給水ホース６２を通じてフィルタケース２５に給水することにより、図９に矢印で示すように、風路２０に前述のごとく通される空気流の上流側（ファン２２側とは反対の側）からフィルタ２１及びフィルタケース２５に給水することになる。
【００４０】
このようにしても、フィルタ２１を逐一取出すことなく流水による掃除が可能となり、一段と容易にフィルタ２１及びフィルタケース２５の掃除ができる。
又、この場合、風路２０に通される空気流の上流側からフィルタ２１及びフィルタケース２５に給水することで、フィルタ２１に捕獲されたリントＬをその捕獲側から直接流水を噴き当てて除去できることにより、フィルタ２１の掃除がやはり一段と効果的にできる。
【００４１】
更に、この場合も、給水機構４１による給水でフィルタ２１及びフィルタケース２５から除去されたリントＬは、図８に矢印で示すように、水槽２内から排水機構１２を通じて機外に排出されるものであり、乾燥運転のたびに機内の清掃をするなどの手間を省くことができる。
【００４２】
［第５の実施形態］
図１０に示す第５の実施形態においては、上記給水機構４１又は６１によるフィルタ２１及びフィルタケース２５への給水を、乾燥運転の開始前に実行するようにしている。すなわち、乾燥ルーチンにおいて、そのスタート直後に給水機構４１又は６１によるフィルタ２１及びフィルタケース２５への給水を実行し（Ｓ１）、その後に乾燥運転を実行するようにしている（Ｓ２）。
【００４３】
このようにすることにより、乾燥運転の開始前に、フィルタ２１及びフィルタケース２５にリントがない状態となり、この状態で乾燥運転ができるので、洗濯物の乾燥が捕獲リントに阻害されることなく効率良くできる。
【００４４】
［第６の実施形態］
図１１に示す第６の実施形態においては、給水機構４１又は６１によるフィルタ２１及びフィルタケース２５への給水を、乾燥運転の終了後に実行するようにしている。すなわち、乾燥ルーチンにおいて、そのスタート直後に乾燥運転を実行し（Ｓ１１）、この乾燥運転が終了した後に給水機構４１又は６１によるフィルタ２１及びフィルタケース２５への給水を実行するようにしている（Ｓ２１）。
【００４５】
このようにすることにより、次回の乾燥運転の開始前に、フィルタ２１及びフィルタケース２５にリントがない状態となり、この状態で次回の乾燥運転ができるので、洗濯物の乾燥が捕獲リントに阻害されることなく効率良くできる。
【００４６】
［第７の実施形態］
図１２に示す第７の実施形態においては、給水機構４１又は６１によるフィルタ２１及びフィルタケース２５への給水を、乾燥運転の開始から終了までに実行するようにしている。すなわち、乾燥ルーチンにおいて、そのスタート直後に乾燥運転を実行し（Ｓ２１）、この乾燥運転の途中に給水機構４１又は６１によるフィルタ２１及びフィルタケース２５への給水を実行し（Ｓ２２）、その後に再び乾燥運転を実行するようにしている（Ｓ２３）。
【００４７】
このようにすることにより、乾燥運転の最中に、フィルタ２１及びフィルタケース２５にリントがない状態となり、この状態でその後の乾燥運転ができるので、洗濯物の乾燥が捕獲リントに阻害されることなく効率良くできる。
【００４８】
［第８の実施形態］
図１３に示す第８の実施形態においては、給水機構４１又は６１（図示例は給水機構４１）による給水でフィルタ２１及びフィルタケース２５から除去されたリントを捕獲する捕獲手段を有するものとしている。具体的には、水槽２の底部に形成した排水口７１に捕獲手段としてリント捕獲装置７２を接続している。このリント捕獲装置７２は、例えば水受容器７２ａに捕獲かご７２ｂを収容して成るもので、その水受容器７２ａを上記排水口７１に接続しており、捕獲かご７２ｂは水受容器７２ａに上向きに収容して、詳しくは図示しないが、外箱１の後壁など周側壁の一部に形成した出入口から取出すことを可能としている。
【００４９】
リント捕獲装置７２には、循環ポンプ７３の吸入口を接続している。循環ポンプ７３は、吸入口を一つ有するのに対して吐出口を二つ有するものであり、その吐出口の一つを排水弁１０に接続し、もう一つの吐出口を循環ホース７４に接続している。循環ホース７４の先端部は、内蓋１３に形成した循環水戻り口７５に接続している。
【００５０】
この構成で、通常は循環ポンプ７３の排水弁１０側の吐出口を開放させることにより、水槽２内からの排水がリント捕獲装置７２を通じて行われる。これに対し、循環ポンプ７３の循環ホース７４側の吐出口を開放させて、該循環ポンプ７３を作動させると共に、給水機構４１又は６１による給水を実行する。これにより、その給水でフィルタ２１及びフィルタケース２５から除去されたリントは、水槽２内から排水口７１を経てリント捕獲装置７２に至り、このリント捕獲装置７２、特にはそれの捕獲かご７２ｂに捕獲される。そして、そのリントを捕獲された水が循環ホース７４を通じて循環水戻り口７５から水槽２内に戻されることが繰り返される。
【００５１】
このように給水機構４１又は６１による給水でフィルタ２１及びフィルタケース２５から除去されたリントを捕獲する捕獲手段を有することにより、リントを機外に排出することを避け、家屋の排水トラップなど排水装置をリントで詰まらせることのないようにできる。
【００５２】
［第９の実施形態］
図１４に示す第９の実施形態においては、フィルタ２１及びフィルタケース２５に給水する給水機構８１を、上記第８の実施形態の循環ホース７４から分岐してフィルタケース２５（給水受口４３）に接続した分岐ホース８２と、この分岐ホース８２の途中部に設けた分水制御弁８３とで構成している。
【００５３】
この構成で、フィルタ２１及びフィルタケース２５からリントを除去する際には、給水機構８１の分水制御弁８３を開放させると共に、循環ポンプ７３の循環ホース７４側の吐出口を開放させて、該循環ポンプ７３を作動させる。これにより、水槽２内の水が循環ホース７４を通じて循環され、同時にその循環ホース７４からは一部の水が分水制御弁８３を通じ分流されてフィルタケース２５内に供給される。そして、そのフィルタケース２５内に供給された水によりフィルタ２１及びフィルタケース２５から除去されたリントが、上述の循環水に伴ってリント捕獲装置７２に至り、このリント捕獲装置７２、特にはそれの捕獲かご７２ｂに捕獲される。
【００５４】
このようにしても、リントを機外に排出することを避け得、家屋の排水トラップなど排水装置をリントで詰まらせることのないようにできる。又、この場合には、フィルタ２１及びフィルタケース２５からリントを除去するのに、水道水を使用せず、水槽２内の水を循環させて使用するので、水道代の節約ができる利点を有する。
【００５５】
以上説明した衣類乾燥機は、上記実施形態にのみ限定されるものではなく、特に、洗濯機能並びに脱水機能は必ずしも必要とはせず、送風装置の風路も温風を洗濯槽内に供給してのち機外に排出するものであっても良いなど、要旨を逸脱しない範囲内で適宜変更して実施し得る。
【００５６】
そのほか、本発明の幾つかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５７】
図面中、２は水槽（乾燥室）、４は回転槽（乾燥室）、１２は排水機構、２０は風路、２１はフィルタ、２１ｂはフィルタ網（リント捕獲部）、２２はファン、２５はフィルタケース（フィルタ収容部）、２８，２９は親水膜、４１，６１は給水機構、７２はリント捕獲装置（捕獲手段）、８１は給水機構を示す。
【図１】
2015192760.tif 000003
【図２】
2015192760.tif 000004
【図３】
2015192760.tif 000005
【図４】
2015192760.tif 000006
【図５】
2015192760.tif 000007
【図６】
2015192760.tif 000008
【図７】
2015192760.tif 000009
【図８】
2015192760.tif 000010
【図９】
2015192760.tif 000011
【図１０】
2015192760.tif 000012
【図１１】
2015192760.tif 000013
【図１２】
2015192760.tif 000014
【図１３】
2015192760.tif 000015
【図１４】
2015192760.tif 000016